(57)【要約】【課題】摺動部に形成される、液体により構成される相及び気体により構成される相の安定化を図った摺動部品を提供する。【解決手段】相対的に回転し、かつ平面状の端面同士が摺動する第１摺動部品１００及び第２摺動部品のうちの一方を構成する第１摺動部品１００において、前記２部品が相対的に回転する際に、該２部品の摺動部に回転中心の周りを周回するように形成される、液体により構成される相及び気体により構成される相のうち、少なくともいずれか一方を位置決めせしめるように、摺動面に複数のディンプル１０１が配置されていることを特徴とする。【選択図】図２
2010133496.tif 000002
【特許請求の範囲】
【請求項１】
相対的に回転し、かつ平面状の端面同士が摺動する２部品のうちの一方を構成する摺動部品において、
前記２部品が相対的に回転する際に、該２部品の摺動部に回転中心の周りを周回するように形成される、液体により構成される相及び気体により構成される相のうち、少なくともいずれか一方を位置決めせしめるように、摺動面に複数のディンプルが配置されていることを特徴とする摺動部品。
【請求項２】
前記複数のディンプルは、流体力学的動圧発生作用が生じない深さに設定されており、
これらのディンプルは、回転方向に対して隣り合う２つのディンプルのうち回転方向の上流側のディンプル内に静止時に封じ込められていた液体又は気体が、摺動時に回転方向の下流側に形成する膜の範囲内に、前記２つのディンプルのうち回転方向の下流側のディンプルが存在する位置関係となるように配置されていることを特徴とする請求項１に記載の摺動部品。
【請求項３】
前記複数のディンプルは、前記２部品の回転中心に中心点を有する仮想円周上に並ぶように配置されていることを特徴とする請求項１または２に記載の摺動部品。
【請求項４】
前記複数のディンプルは、前記２部品の回転中心に中心点を有する、径の異なる複数の仮想円周上に、それぞれ複数並ぶように配置されていることを特徴とする請求項１または２に記載の摺動部品。
【請求項５】
前記複数のディンプルは、前記２部品の回転方向に周回する仮想的な渦巻き線上に並ぶように配置されていることを特徴とする請求項１または２に記載の摺動部品。
【請求項６】
前記複数のディンプルは、摺動面のうちの限られた領域内に設けられることを特徴とする請求項１〜５のいずれか一つに記載の摺動部品。
【発明の詳細な説明】
【技術分野】
【０００１】
本発明は、例えばメカニカルシールに用いられる摺動部品に関するものである。
【背景技術】
【０００２】
被密封流体の漏れを防止（抑制）する密封装置として、相対的に回転し、かつ平面状の端面同士が摺動するように構成された２部品からなるもの（例えば、メカニカルシール）が知られている。このような密封装置において、良好な密封状態を長期に亘って維持するためには、２部品における各摺動面間に、被密封流体による流体潤滑膜を形成させることで、摩耗や面荒れなどを防止（抑制）する必要がある。このように、密封性を長期的に維持させるためには、「密封」と「潤滑」という、相反する条件を両立させなければならない。
【０００３】
特に、近年においては、環境対策などのために、被密封流体の漏れ防止を図りつつ、機械的損失を低減させるべく、より一層、低摩擦化の要求が高まってきている。
【０００４】
一般的なメカニカルシールのように、２部品の各摺動面が平滑面で構成される場合、摺動面間には、被密封流体による膜だけでなく、流体中に発生したキャビテーションによる相が形成されることが知られている（非特許文献１参照）。すなわち、摺動面間には、液体（被密封流体）により構成される相（以下、液相と称する）と、気体により構成される相（以下、気相と称する）が形成される。
【０００５】
摺動面間に形成されるこれらの相は、２部品の相対的な回転が定常的であるにもかかわらず、非常に不安定な挙動を示すことを確認している。これについて、図２４を参照して説明する。図２４は一定速度で相対的に回転する２部品の摺動面間に形成される液相及び気相の挙動の一例を示したものである。
【０００６】
図中、Ｅ３０で示す領域が液相であり、その他の領域が気相である。また、図２４において、（Ａ）（Ｂ）（Ｃ）は、２部品が一定速度で相対的に回転（２部品のうちの一方が回転し、他方は静止）している際に、異なるタイミングの状態を模式的に示したものである。なお、図中の矢印は一方の部品の回転方向を示している。
【０００７】
この図から、時間経過に伴い、液相と気相の混在状態が複雑に変化することが分かる。また、瞬間的に、摺動面全体を気相が覆い、摺動面同士が直接接触したと考えられる摩擦係数の増加も確認された。このような現象は、平滑面により構成される摺動面においては、摺動面間の流体による膜（相）を保持し、安定させる機構や構造を有していないことが原因であると推測される。
【０００８】
また、摺動部品の潤滑性の向上を目的として、摺動面上に微小穴や窪みを施したものが知られている（特許文献１参照）。
【０００９】
図１５は従来例に係る摺動部品の摺動面の一部を示す平面図である。図示のように、摺動部品５００における摺動面に、複数のディンプル５０１が設けられている。これら複数のディンプル５０１の形状や配列によって流体力学的な動的潤滑膜（被密封流体による膜）が形成され、また、ディンプル５０１から潤滑液（被密封流体）が供給される。このように、従来、摺動部品５００における摺動面に、複数のディンプル５０１を設けることによって、摺動面に潤滑液（被密封流体）による膜を安定的に形成させ、摺動摩耗の抑制効果の向上を狙っていた。
【００１０】
しかしながら、ディンプル等の微小穴によって、被密封流体を摺動面に供給し、被密封流体による膜の形成を助長するということは、反面、密封性能を低下させる結果を齎すことになる。そのため、シール本来の機能を損なう虞がある。シール性能を維持するためには、漏れ方向、すなわち摺動面における径方向への被密封流体の流れを遮断しなければならない。しかし、上記のような従来例に係る摺動部品は、そのような流れを遮断する機構や構造を備えていない。
【非特許文献１】Ｈａｍｉｌｔｏｎ，Ｗａｌｏｗｉｔ，Ａｌｌｅｎ  ：  Ａ．  Ｓ．  Ｍ．  Ｅ．  Ｐａｐｅｒ  Ｎｏ．  ６５−Ｌｕｂ−１１（１９６５）
【特許文献１】特許第３０２６２５２号公報
【発明の開示】
【発明が解決しようとする課題】
【００１１】
本発明の目的は、摺動部に形成される、液体により構成される相及び気体により構成される相の安定化を図った摺動部品を提供することにある。
【課題を解決するための手段】
【００１２】
本発明は、上記課題を解決するために以下の手段を採用した。
【００１３】
すなわち、本発明の摺動部品は、
相対的に回転し、かつ平面状の端面同士が摺動する２部品のうちの一方を構成する摺動部品において、
前記２部品が相対的に回転する際に、該２部品の摺動部に回転中心の周りを周回するように形成される、液体により構成される相（以下、液相と称する）及び気体により構成される相（以下、気相と称する）のうち、少なくともいずれか一方を位置決めせしめるように、摺動面に複数のディンプルが配置されていることを特徴とする。
【００１４】
本発明によれば、２部品の摺動部に、２部品の回転中心の周りを周回するように形成される液相及び気相のうち、少なくともいずれか一方が位置決めされる。これにより、位置決めされた相は、流体の移動（位置決めされた液相を気体が通り抜ける移動、及び位置決めされた気相を液体が通り抜ける移動）を阻止する機能を発揮する。従って、液相が、摺動部から消失してしまうことを抑制でき、摺動面には安定的に液体による膜（潤滑膜）が形成され、摺動摩耗を抑制することができる。また、摺動部品がメカニカルシールなどの密封装置を構成する部品である場合には、被密封流体の漏れを抑制することができる。
【００１５】
前記複数のディンプルは、流体力学的動圧発生作用が生じない（本発明においては、当該動圧発生作用が全く生じない場合のほか、生じたとしても無視できる程度のものも含む）深さに設定されており、
これらのディンプルは、回転方向に対して隣り合う２つのディンプルのうち回転方向の上流側のディンプル内に静止時に封じ込められていた液体又は気体が、摺動時に回転方向の下流側に形成する膜の範囲内に、前記２つのディンプルのうち回転方向の下流側のディンプルが存在する位置関係となるように配置されているとよい。
【００１６】
これにより、各ディンプルを繋ぐように、液体又は気体の膜が形成されるので、２部品の摺動部に、２部品の回転中心の周りを周回するように形成される液相及び気相のうち、少なくともいずれか一方が位置決めされる。
【００１７】
前記複数のディンプルは、前記２部品の回転中心に中心点を有する仮想円周上に並ぶように配置されているとよい。
【００１８】
これにより、環状に、液相または気相が位置決めされる。従って、この位置決めされた環状の液相または気相が、流体の径方向への移動を阻止する機能を発揮する。
【００１９】
前記複数のディンプルは、前記２部品の回転中心に中心点を有する、径の異なる複数の仮想円周上に、それぞれ複数並ぶように配置されているとよい。
【００２０】
これにより、液相と気相が同心的に複数形成される。従って、摺動面に安定的に液体による膜が形成され、かつ液体の径方向への移動を抑制することができる。
【００２１】
前記複数のディンプルは、前記２部品の回転方向に周回する仮想的な渦巻き線上に並ぶように配置されているとよい。
【００２２】
これにより、渦巻状に、液相及び気相が形成される。また、回転方向に応じて、液体が渦巻き形状に沿って流れるポンピング作用を生じさせることができる。従って、摺動部品がメカニカルシールなどの密封装置を構成する部品である場合には、被密封流体を密封領域側に戻すようにポンピング作用を生じさせることで、密封性能をより高めることができる。
【００２３】
前記複数のディンプルは、摺動面のうちの限られた領域内に設けられるとよい。
【００２４】
すなわち、流体力学的動圧発生作用が生じないディンプルを複数設けると、荷重支持領域が減少するため、かかるディンプルを配置する領域を摺動面のうちの限られた領域とすることで、荷重支持領域を確保することが可能となる。
【００２５】
なお、上記各構成は、可能な限り組み合わせて採用し得る。
【発明の効果】
【００２６】
以上説明したように、本発明によれば、摺動部に形成される、液体により構成される相及び気体により構成される相の安定化を図ることができる。
【発明を実施するための最良の形態】
【００２７】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２８】
（実施例１）
図１〜図１６を参照して、本発明の実施例１に係る摺動部品について説明する。なお、本実施例においては、メカニカルシールを構成する部品が摺動部品である場合を例にして説明する。
【００２９】
＜メカニカルシール＞
図１を参照して、本発明の実施例に係る摺動部品が適用されるメカニカルシールについて説明する。図１は本発明の実施例に係るメカニカルシールの使用状態を示す模式的断面図である。
【００３０】
メカニカルシール１０は、回転軸３００と、回転軸３００が挿通されるハウジング４００との間の環状隙間に密封された液体（被密封流体）Ｍの漏れを防止するために設けられる。このメカニカルシール１０は、ハウジング４００の内周側に固定される環状の第１摺動部品１００と、回転軸３００に固定される環状の第２摺動部品２００とから構成される
。回転軸３００の回転に伴って第２摺動部品２００も回転するため、第１摺動部品１００と第２摺動部品２００は相対的に回転する。また、第１摺動部品１００における図中右側の平面状の端面と、第２摺動部品２００における図中左側の端面が摺動するように構成されており、これら端面同士の摺動部によって、密封された液体Ｍの漏れを防止している。
【００３１】
ここで、背景技術の中でも説明したように、第１摺動部品１００における摺動面と第２摺動部品２００における摺動面との間には、液体（被密封流体）により構成される相（以下、液相と称する）と、気体により構成される相（以下、気相と称する）が形成される。これは、摺動時に、液体中にキャビテーションが発生するためである。なお、キャビテーションは、主に雰囲気気体によって構成される気泡や、液体中に溶解していたものが析出された気体や、液体の蒸気などにより構成される。
【００３２】
本実施例に係るメカニカルシール１０は、第１摺動部品１００における摺動面と第２摺動部品２００における摺動面との間に形成される液相と気相の挙動が安定的になる（半径方向への移動が規制される）ように構成されている。以下、これについて、詳細に説明する。
【００３３】
＜第１摺動部品＞
図２及び図３を参照して、第１摺動部品１００の構成について説明する。図２は本発明の実施例１に係る摺動部品（第１摺動部品）の平面図である。図３は本発明の実施例１に係る摺動部品（第１摺動部品）の一部拡大図である。なお、図３は図２中Ｘ部分の拡大図である。
【００３４】
第１摺動部品１００における摺動面には、複数のディンプル１０１が設けられている。なお、ディンプル１０１は、例えば、市販されているレーザ加工機を用いて簡単に形成することができる。第１摺動部品１００の材質については、特に限定されるものではないが、レーザ加工によってディンプル１０１を形成する場合には、レーザ加工に適した材料を用いるのがよい。また、ディンプル１０１の加工方法については、レーザ加工に限らず、フォトエッチング処理やサンドブラストなどを適用することもできる。
【００３５】
そして、本実施例においては、複数のディンプル１０１は、第１摺動部品１００と第２摺動部品２００との相対的な回転中心に中心点Ｏを有する、径の異なる複数の仮想円周Ｃ１，Ｃ２，Ｃ３，Ｃ４上に、それぞれ並ぶように配置されている。なお、第１摺動部品１００と第２摺動部品２００の相対的な回転中心は、第２摺動部品２００の回転中心である、回転軸３００の中心軸線上にある。また、各仮想円周上において、各ディンプル１０１は等間隔に並ぶように配置されている。
【００３６】
このように配置された複数のディンプル１０１によって、所定の条件下において、第１摺動部品１００における摺動面と第２摺動部品２００における摺動面との間に形成される液相と気相の挙動を安定させる（移動を規制する）ことができる。
【００３７】
複数のディンプル１０１によって、液相と気相の挙動が安定的になるメカニズムについては、以下に詳細に説明する。なお、ディンプル１０１の形状や大きさについては、液相及び気相の挙動を安定させることができるものであれば、特に限定されるものではない。ディンプル１０１の形状の例としては、円，楕円，矩形を挙げることができる。
【００３８】
ディンプル１０１の深さについては、その幾何学的形状に起因した流体力学的動圧発生作用が生じない程度（あるいは生じたとしても無視できる程度）に深いのが望ましい。これについては、上記のメカニズムに深く関わるものであり、メカニズムの説明の中で、より詳細に説明する。なお、ディンプル１０１の深さが深すぎると、ディンプル１０１の内
部容積が大きくなり、液相と気相を安定的に形成させるために必要な液体や気体の量が多くなってしまうので、あまり深すぎないように適度な深さにするのが望ましい。
【００３９】
また、ディンプル１０１の回転方向の配置（回転方向に対して隣り合うディンプル１０１間の間隔）については、上記のメカニズムに深く関わるものであり、メカニズムの説明の中で説明する。
【００４０】
＜メカニズム＞
図４及び図５を参照して、複数のディンプル１０１によって、液相と気相の挙動が安定的になるメカニズムについて説明する。図４及び図５は本発明の実施例１に係る摺動部品（第１摺動部品）における摺動面の様子を模式的に示す平面図である。
【００４１】
ディンプル１０１の形状や大きさ（特に深さ）を所定の条件を満たすようにし、かつ、複数のディンプル１０１を所定の条件を満たすよう配置することによって、複数のディンプル１０１に沿って、液相または気相を位置決めすることができることが分かった。より具体的には、回転前の状態で、ディンプル１０１に気泡が満たされていた場合には、ディンプル１０１に沿って気相を保持することができ、ディンプル１０１に液体（被密封流体）が満たされていた場合には、ディンプル１０１に沿って液相を保持することが可能であることが分かった。
【００４２】
かかるメカニズムについて、以下に詳しく説明する。ただし、このメカニズムは、実際の観察に基づいて考察を加えた結果導き出されたものである。
【００４３】
図４は、回転前の状態で、ディンプル１０１に気泡が満たされていた場合において、回転開始直後の第１摺動部品１００の摺動面の様子を模式的に示したものである。図中の矢印は、第２摺動部品２００の回転方向を示している。
【００４４】
図示のように、２部品が回転すると、ディンプル１０１内に満たされていた気泡によって、気体による膜Ｆを形成する。この膜Ｆは、ディンプル１０１から第２摺動部品２００の回転方向の下流側に向かって尾を伸ばすように形成される。
【００４５】
図５は、所望の回転速度で第２摺動部品２００が一定の速度で回転している際の第１摺動部品１００の摺動面の様子を模式的に示したものである。図中の矢印は、第２摺動部品２００の回転方向を示している。
【００４６】
図示のように、仮想円周上に並ぶように配置されたディンプル１０１に沿って、それぞれ環状の気相Ｋ１１、Ｋ１２，Ｋ１３が形成され、これら以外の部分には環状の液相Ｅ１１，Ｅ１２，Ｅ１３，Ｅ１４が形成された。そして、これらの気相Ｋ１１，Ｋ１２，Ｋ１３及び液相Ｅ１１，Ｅ１２，Ｅ１３，Ｅ１４は挙動が安定しており、これらの相は径方向に移動してしまわないことを確認できた。
【００４７】
また、回転前の状態で、ディンプル１０１に液体（被密封流体）が満たされていた場合には、仮想円周上に並ぶように配置されたディンプル１０１に沿って環状の液相が形成され、これら以外の部分には環状の気相が形成されることが確認できた。また、この場合も、気相と液相は挙動が安定しており、これらの相は径方向に移動してしまわないことが確認できた。
【００４８】
以上の観察結果から、一定条件下においては、各ディンプル１０１は、回転前にそれぞれ内部に満たされていた流体（気泡または液体）が形成する膜を保持する作用を有すると考えられる。そして、あるディンプルによって保持する膜の領域内に、他のディンプルが
存在するように複数のディンプルを配置させることで、複数のディンプルに沿って気相や液相を位置決めすることができると考えられる。
【００４９】
これについて、図５中、隣り合う２つのディンプル１０１ａ，１０１ｂを例にして、より詳しく説明する。ディンプル１０１ａは回転方向の上流側に位置し、ディンプル１０１ｂは回転方向の下流側に位置する。上流側のディンプル１０１ａ内に静止時に封じ込められていた液体又は気体（ここでは気体（気泡））が、摺動時に回転方向の下流側に形成する膜の範囲Ｘ内に、ディンプル１０１ｂが存在する。従って、２つのディンプル１０１ａ，１０１ｂを繋ぐように、気相が形成される。
【００５０】
以上のことから、２部品の回転中心に中心点を有する仮想円周上に複数のディンプル１０１を等間隔に配置することで、環状の気相または液相がディンプル１０１に沿って形成され、気相または液相を位置決めすることができる。
【００５１】
ここで、ディンプルが、回転前にそれぞれ内部に満たされていた流体が形成する膜を保持する作用を持たせるためには、ディンプルによってはキャビテーションを形成することなく、ディンプルの部位に生じる圧力変動が小さいことが重要であると考えられる。すなわち、ディンプル１０１を、流体力学的動圧発生作用が生じない（生じたとしても無視できる程度のものも含む）ように構成することが重要であると考えられる。以下、この点について詳しく説明する。
【００５２】
＜流体力学的動圧発生作用＞
図６及び図７を参照して、流体力学的動圧発生作用について詳しく説明する。図６及び図７は流体力学的動圧発生作用について説明する説明図である。
【００５３】
＜＜摺動時にディンプルには圧力変動が生じる＞＞
平行な二面が流体を介して流体潤滑状態において摺動しているモデルを考える。このとき、二面のうち一方の面は固定面とする。また流体は非圧縮性のニュートン流体とし、定常状態で摺動しているとする。この二面間に摺動により生じる圧力分布は，下記の定常状態におけるＲｅｙｎｏｌｄｓ方程式により計算できる（山本・兼田：トライボロジー，工学社  （１９９８）  ７２−７４，  ＩＳＢＮ４−８４４５−２１４６−２）。
【式１】
【００５４】
2010133496.tif 000003
なお、この式中、ｒは円筒座標系の半径方向座標であり、θは円筒座標系の円周方向座標であり、ｈは隙間高さであり、ηは流体粘度であり、ｐは圧力であり、ωは回転角速度である。
【００５５】
この式において、左辺は圧力分布を決定し、右辺はくさび作用を示している。このとき伸縮作用は生じないとし、またスクイズ作用は定常状態の仮定より考慮しない。
【００５６】
今、固定面側である第１摺動部品１００にディンプル１０１を設けた場合、ディンプル１０１の部分には図６に示すような圧力変動が生じる。なお、図６中の矢印は第２摺動部品２００の回転方向を示している。また、第１摺動部品１００と第２摺動部品２００の下部には、これらの摺動部分における圧力分布を示している。圧力分布を示す図におけるＰ０は大気圧である。
【００５７】
第１摺動部品１００におけるディンプル１０１が設けられた付近においては、圧力変動が生じる。この圧力変動はくさび作用によるものである。すなわち、摺動面間の流体がディンプル１０１に差し掛かると、ディンプル１０１の入口（図６中Ａ部）において隙間が拡大するため、負圧が発生する。次に、ディンプル１０１の出口（図６中Ｂ部）においては逆に隙間が狭まるため、正圧が発生する。
【００５８】
＜＜負圧部にキャビテーションが発生し、圧力分布の非対称性が生じることで、流体力学的動圧発生作用が得られる＞＞
平行二面間に設置されたディンプルの場合、ディンプル部における圧力分布の積分値はゼロとなり、このままではディンプルによる負荷能力の向上、つまり流体力学的動圧発生作用は得られないことになる。しかしながら、実際は、負圧が大気圧以下のある圧力になると、流体中に溶解している気体や流体自体の蒸気、あるいは気泡の巻き込み等によりキャビテーションが形成される（山本・兼田：トライボロジー, 理工学社 (１９９８)  ８
４,  ＩＳＢＮ４−８４４５−２１４６−２）。このとき、キャビテーション領域の圧力
は、キャビテーション発生圧力で均一となり、負圧はキャンセルされる。このキャビテーション発生によるディンプル部の圧力分布の非対称性により、ディンプル部の圧力分布の積分値が正の値となり、負荷能力が生じることとなる。
【００５９】
このように、ディンプルにより負荷能力を得るためには、ディンプルによる圧力変動（条件１）とキャビテーションの形成による圧力分布の非対称性（条件２）が必要である。その上で圧力分布の積分値が有意な負荷容量となること（条件３）、という３つの条件が必要となる。このキャビテーションが発生する圧力は、流体の種類や流体中に溶解している気体の量、流体の温度などにより変化する。鉱油においては−０．９気圧近くになるという報告がある（和泉・遠藤・森田：トライボロジー会議２００６  春  東京  予稿集  ２００６−５，  ２８１）。
【００６０】
＜＜圧力変動の絶対値はディンプル深さが深い程小さい＞＞
摺動によりディンプル部に発生する圧力の最大／最小値の絶対値の大きさは、ディンプルの形状や直径（隙間形状），ディンプルの配置，摺動速度，流体の粘度等により異なる。仮にディンプル形状を図１に示すようなＳＩＮ波とし、ディンプル深さのみを変化させたとき、発生する圧力の最大／最小値の絶対値は、ディンプル深さが深い程小さくなる（図７参照）。なお、図７において、ｄ１，ｄ２，ｄ３はディンプル深さを変えたときのディンプルの表面に位置を示しており、その下部の圧力分布図において、ｄ１，ｄ２，ｄ３は各ディンプルに対応する圧力分布を示している。また、圧力分布を示す図中、Ｐ０は大気圧を示し、Ｐ１はキャビテーション発生圧力を示している。
【００６１】
＜＜ディンプル深さが深いとキャビテーション圧力以下の負圧が生じず、流体力学的動圧発生作用が得られない＞＞
ディンプル深さが深いほど、発生する圧力の最大／最小値の絶対値が小さくなる。そのため、発生した負圧がキャビテーション発生圧力Ｐ１より高い場合、ディンプル部においては、キャビテーションは発生しない。その結果、ディンプル部の圧力分布の対称性が保持され、流体力学的動圧発生作用が得られない結果となる（図７中、ｄ１）。つまり、上述した条件２が不成立となる。この場合は、確実に「流体力学的動圧発生作用が得られない」条件となる。
【００６２】
＜＜あるディンプルが「流体力学的動圧発生作用が生じる」ように設定されているかどうかを判断する方法＞＞
上述のように、ディンプルの「流体力学的動圧発生作用が生じる」条件として、３つの条件が必要となる。しかしながら、実際にはキャビテーション発生圧力が分からないため
、条件２の判断は難しい。また、条件３を厳密に計算するためには、まずキャビテーション発生圧力を仮に設定した上でキャビテーション領域がディンプルに対してどの程度の範囲となるのかを計算し、次に圧力分布を計算し、最後に負荷容量を計算する、という手順が必要となり、キャビテーション圧力の仮定が必要な上計算過程が煩雑である。
【００６３】
そこで、簡易的な方法として、キャビテーション圧力を最も負荷能力が得られやすい大気圧と仮定し、キャビテーション領域の境界条件として負圧部分をそのままキャビテーション圧力に置き換えるというＧｕｍｂｅｌ（なお、「ｕ」は正しくはウムラウト）の条件（Ｈａｌｆ−Ｓｏｍｍｅｒｆｅｌｄ条件）（山本・兼田：トライボロジー，  理工学社  （１９９８）  ８３，  ＩＳＢＮ４−８４４５−２１４６−２）を適用し、条件３を判断する方法が一般的である。
【００６４】
この方法は、キャビテーション領域における流量の保存を考慮していないため、実際とは異なる条件である。このため、ディンプルの形状によっては、実際には流体力学的動圧発生作用が無視できるディンプル深さであっても、この判別方法により流体力学的動圧発生作用が生じる、という判別結果となる可能性もある。
【００６５】
従来技術において流体力学的動圧発生作用が生じるディンプルの理論付けとしては、上記の簡易的な方法を用いている報告が多い。
【００６６】
以上のように、ディンプル１０１を、流体力学的動圧発生作用が生じない（生じたとしても無視できる程度のものも含む）ように構成することで、ディンプルの部位に生じる圧力変動は小さくなる。これにより、ディンプルが、回転前にそれぞれ内部に満たされていた流体が形成する膜を保持する作用を持たせることができると考えられる。
【００６７】
＜本実施例の優れた点＞
本実施例に係る摺動部品（第１摺動部品１００）によれば、２部品（第１摺動部品１００及び第２摺動部品２００）の摺動部に、２部品の回転中心の周りを周回するように形成される液相Ｅ１１，Ｅ１２，Ｅ１３，Ｅ１４及び気相Ｋ１１，Ｋ１２，Ｋ１３が位置決めされる。これにより、これらの位置決めされた相は、気液界面を安定して形成することにより、流体の径方向への移動を阻止する機能を発揮する。従って、液相が、摺動部から消失してしまうことを抑制でき、摺動面には安定的に液体による膜（潤滑膜）が形成され、摺動摩耗を抑制することができる。また、本実施例では、第１摺動部品１００と第２摺動部品２００によってメカニカルシール１０を構成しており、被密封流体の漏れを抑制することができる。
【００６８】
＜＜本実施例に係る摺動部品と比較例に係る摺動部品との評価試験結果＞＞
図８〜図１６を参照して、本実施例に係る摺動部品と比較例に係る摺動部品との評価試験結果について説明する。
【００６９】
図８において、上側の２つの表は、摺動面の状態を観察すると同時に、摩擦係数の変化を測定する評価試験における端面形状緒元と試験条件を示したものである。より具体的には、固定側である第１摺動部品１００としてＳｉＣ製のシールリングを用い、回転側である第２摺動部品２００として、透過材であるオプティカルフラットを用いた。そして、透過材で構成された第２摺動部品２００を介して摺動面の様子を観察すると共に、摩擦係数の変化を測定した。
【００７０】
本実施例に係る第１摺動部品１００として、４つの仮想円周上に、それぞれ円周方向に３６０個のディンプル１０１が配置されたものを用いて試験を行った。また、各ディンプル１０１は、深さが４０μｍ，径が７０μｍの円形のもので構成した。このように構成さ
れた第１摺動部品１００を用いて、第２摺動部品２００を５００ｒｐｍで回転させた場合の摩擦係数の経時変化を示したのが図９である。なお、この図においては、ディンプル１０１に沿って気相が形成される場合の結果を示したものである。図９は本発明の実施例１に係る摺動部品における経過時間と摩擦係数の変化を示すグラフである。
【００７１】
この図から、摩擦係数は安定していることが分かる。また、図１０は本発明の実施例１に係る摺動部品における摺動面上の液相及び気相の挙動を示したものである。なお、図中左上の数字の小さなものから順に所定時間が経過した毎の摺動面の様子を示している。このように、摺動面の観察の結果、摺動面には気相と液相が安定的に形成され、被密封流体である液体の径方向への移動が抑制されることも確認できた。
【００７２】
図８において、下側の２つの表は、シール性能を評価するための試験における端面形状緒元と試験条件を示したものである。ここでは、回転側である第２摺動部品２００として、ＳｉＣ製の緻密材からなるものを用いている。この試験においては、被密封流体の漏洩量と試験後の第１摺動部品１００の摩耗量を測定した。その測定結果を示したのが、図１１である。図１１は本発明の実施例１に係る摺動部品におけるシール性能試験結果を示す表である。この結果、優れたシール性能が発揮され、かつ低摩耗を実現できることを確認できた。
【００７３】
また、本実施例に係る第１摺動部品１００として、３つの仮想円周上に、それぞれ円周方向に３６０個のディンプル１０１が配置されたものを用いて、ディンプル１０１に沿って液相を形成させた場合においても、同様に試験を行った。なお、各ディンプル１０１は、上記の場合と同様に、深さが４０μｍ，径が７０μｍの円形のもので構成した。このように構成された第１摺動部品１００を用いて、第２摺動部品２００を５００ｒｐｍで回転させた場合の摩擦係数の経時変化を示したのが図１２である。図１２は本発明の実施例１に係る摺動部品における経過時間と摩擦係数の変化を示すグラフである。
【００７４】
この場合においても、摩擦係数は安定していることが分かる。また、上記の場合と同様に、摺動面の観察の結果、摺動面には気相と液相が安定的に形成され、被密封流体である液体の径方向への移動が抑制されることも確認できた。
【００７５】
また、比較例１として、ディンプルを設けていない第１摺動部品を用いて、上記と同じ試験を行った。なお、上記実施例１に係る第１摺動部品と比較例１に係る第１摺動部品との相違点は、ディンプルの有無のみである。
【００７６】
図１３は比較例１に係る摺動部品における経過時間と摩擦係数の変化を示すグラフである。また、図１４は比較例１に係る摺動部品におけるシール性能試験結果を示す表である。
【００７７】
図１３に示すように、比較例１の場合には、摩擦係数が安定せず、不安定であることが分かる。また、比較例１の場合には、気相と液相の挙動が不安定に移動する様子も確認できた。比較例１の場合には、気相と液相の挙動が不安定であり、液相である流体潤滑膜の幅の割合が時間経過と共に変化することで、摩擦係数が振動的に変化するものと考えられる。また、図１４から被密封流体の漏洩量や第１摺動部品の摩耗量も本実施例の場合と比べて劣ることが分かる。
【００７８】
また、比較例２として、図１５に示す従来例に係る摺動部品についても、図８の下側の表に示す条件下で、シール性能を評価する試験を行った。なお、試験を行った摺動部品に設けられたディンプルは、短径（幅）が５０μｍ、長径（長手方向の長さ）が２００μｍ、深さが１２μｍに設定した。なお、図１５中摺動方向は右から左方向である。その結果
を示したのが図１６である。図１６は比較例２に係る摺動部品におけるシール性能試験結果を示す表である。この結果から、本実施例の場合に比べて、シール性能が劣ることが分かる。
【００７９】
（実施例２）
図１７〜図２１には、本発明の実施例２が示されている。上記実施例１では、複数のディンプルを仮想円周上に並ぶように配置する場合の構成について示した。本実施例では、複数のディンプルを仮想的な渦巻き線上に並ぶように配置する場合の構成について示す。複数のディンプルの配置以外の構成および作用については実施例１と同一なので、同一の構成部分については、適宜、その説明は省略する。
【００８０】
図１７は本発明の実施例２に係る摺動部品（第１摺動部品）の平面図である。図１８は本発明の実施例２に係る摺動部品（第１摺動部品）の一部拡大図である。なお、図１８は図１７中Ｘ部分の拡大図である。図１９は本発明の実施例２に係る摺動部品（第１摺動部品）における摺動面の様子を模式的に示す平面図である。
【００８１】
本実施例においても、第１摺動部品１１０における摺動面には、複数のディンプル１１１が設けられている。そして、本実施例の場合には、複数のディンプル１１１は、２部品の回転方向に周回する仮想的な渦巻き線Ｕ上に並ぶように配置されている。
【００８２】
すなわち、上記の通り、一定条件下においては、ディンプルによって、回転前にその内部に満たされていた流体（気泡または液体）が形成する膜を保持する作用を有すると考えられる。そして、この膜は回転方向の下流側に向かって尾を伸ばすように形成される。ここで、この膜はディンプルの径分の幅を持っている。従って、回転方向に隣り合う２つのディンプルにおいて、これらのディンプルが仮想円周上になくても、下流側のディンプルが上流側のディンプルが保持する膜の範囲内にあれば、２つのディンプルを繋ぐように、気相や液相が形成されることが分かった。なお、ディンプルを、流体力学的動圧発生作用が生じない（生じたとしても無視できる程度のものも含む）ように構成することが重要であることに関しては、上記実施例１で説明した通りである。
【００８３】
以上のことから、仮想的な渦巻き線Ｕ上に、複数のディンプル１１１を配置することによって、これらのディンプル１１１に沿うように、渦巻状の気相Ｋ２０及び液相Ｅ２０を位置決めさせることができる（図１９参照）。
【００８４】
従って、上記実施例１の場合と同様に、気相と液相を安定的に形成させることができ、これらの位置決めされた相は、連続した気液界面を安定して形成することにより、流体の移動（気体が液相を通り抜ける移動、及び液体が気相を通り抜ける移動）を阻止する機能を発揮する。従って、液相が、摺動部から消失してしまうことを抑制でき、摺動面には安定的に液体による膜（潤滑膜）が形成され、摺動摩耗を抑制することができる。また、本実施例においても、第１摺動部品１１０はメカニカルシールの構成部品であり、被密封流体の漏れを抑制することができる。
【００８５】
そして、本実施例の場合には、被密封流体である液体が、位置決めされた気相に沿うように移動するポンピング作用が生じることが分かった。すなわち、図１９において、矢印Ｓは第２摺動部品２００の回転方向を示しており、液相Ｅ２０中の液体が回転方向に向かうように移動することが分かった。
【００８６】
従って、第２摺動部品２００の相対的な回転方向と、被密封流体が密封されている領域が内周側であるか外周側であるかに応じて、複数のディンプル１１１が配置される仮想的な渦巻き線の渦の方向を設定することで、被密封流体を密封領域側に戻すことが可能とな
る。例えば、図１９に示す例の場合には、外周側が密封領域であり、被密封流体である液体Ｍをポンピング作用によって、密封領域に戻すことが可能となる。
【００８７】
また、本実施例２に係る第１摺動部品１１０においても、上記実施例１の場合と同様の試験（右上表の回転数が５００ｒｐｍではなく３００ｒｐｍであること以外は、図８に示す表と同じ試験）を行った。本実施例２に係る第１摺動部品１１０として、１周につき３６０個のディンプル１１１を８本渦巻状に配置させたものを用いた。また、各ディンプル１１１は、深さが４０μｍ，径が７０μｍの円形のもので構成した。このように構成された第１摺動部品１１０を用いて、第２摺動部品２００を３００ｒｐｍで回転させた場合の摩擦係数の経時変化を示したのが図２０である。なお、この図においては、ディンプル１１１に沿って気相が形成される場合の結果を示したものである。図２０は本発明の実施例２に係る摺動部品における経過時間と摩擦係数の変化を示すグラフである。
【００８８】
この図から、摩擦係数は安定していることが分かる。また、摺動面の観察の結果、摺動面には気相と液相が安定的に形成さることも確認できた。また、本実施例の場合には、ディンプル１１１が配置されている仮想的な渦巻き線に沿って液体が移動することが確認できた。なお、回転方向を変えることで、液体の移動方向が変わることも確認できた。
【００８９】
また、図２１は本発明の実施例２に係る摺動部品におけるシール性能試験結果を示す表である。この結果から、被密封流体の漏洩量に関しては、上記実施例１の場合よりも少なく、より一層、シール性能を高めることができることが分かった。
【００９０】
（実施例３及び実施例４）
実施例１及び実施例２に示すディンプルは、上記の通り、流体力学的動圧発生作用を有していない。そのため、ディンプルの数を増やすほど、摺動面における荷重支持領域が減少するため、ディンプルの数を増やしすぎると、却って、摩擦係数が増えてしまうこともある。従って、ディンプルの数は、気相や液相の位置決めによって潤滑膜が安定的に形成され、かつ被密封流体の漏れ防止ができる範囲内で、極力少なくして、荷重支持領域を確保するのが望ましい。
【００９１】
例えば、図２２や図２３に示すように、上述した実施例１や実施例２に示した流体力学的動圧発生作用を有していないディンプルが配置される領域を一定範囲に限定し、それ以外の領域を、荷重支持領域や流体力学的動圧発生作用を有するディンプルの配置領域とすることも好適である。
【００９２】
図２２は実施例３に係る摺動部品（第１摺動部品）の平面図である。
【００９３】
上記実施例１及び実施例２においては、流体力学的動圧発生作用を有していないディンプルを摺動面のほぼ全領域に配置する場合を示した。これに対し、本実施例に係る第１摺動部品１３０の場合には、内周側の限定された領域１３０Ｘ（網掛けした領域）にのみ、流体力学的動圧発生作用を有していない複数のディンプルが配置されている。なお、ディンプルの配置に関しては、上述した実施例１の場合、及び実施例２の場合のいずれを適用してもよい。
【００９４】
そして、本実施例に係る第１摺動部品１３０の場合には、外周側の領域１３０Ｙは、平滑面（ディンプルなど、表面に凹凸がない面）によって構成されている。これにより、この外周側の領域１３０Ｙによって荷重を支持することができるため、摺動状態を安定化させることができる。
【００９５】
また、図２３は実施例４に係る摺動部品（第１摺動部品）の平面図である。
【００９６】
本実施例に係る第１摺動部品１４０の場合には、実施例３の場合と同様に、内周側の限定された領域１４０Ｘ（網掛けした領域）にのみ、流体力学的動圧発生作用を有していない複数のディンプルが配置されている。なお、ディンプルの配置に関しては、上述した実施例１の場合、及び実施例２の場合のいずれを適用してもよい。
【００９７】
そして、本実施例に係る第１摺動部品１４０の場合には、外周側の領域１４０Ｙに、流体力学的動圧発生作用を有する複数のディンプル１４１を設けている。これにより、この外周側の領域１４０Ｙによって、荷重を支持しつつ、より一層摩擦力の低減を図ることが可能となる。
【図面の簡単な説明】
【００９８】
【図１】図１は本発明の実施例に係るメカニカルシールの使用状態を示す模式的断面図である。
【図２】図２は本発明の実施例１に係る摺動部品の平面図である。
【図３】図３は本発明の実施例１に係る摺動部品の一部拡大図である。
【図４】図４は本発明の実施例１に係る摺動部品における摺動面の様子を模式的に示す平面図である。
【図５】図５は本発明の実施例１に係る摺動部品における摺動面の様子を模式的に示す平面図である。
【図６】図６は流体力学的動圧発生作用について説明する説明図である。
【図７】図７は流体力学的動圧発生作用について説明する説明図である。
【図８】図８は評価試験の内容を示す表である。
【図９】図９は本発明の実施例１に係る摺動部品における経過時間と摩擦係数の変化を示すグラフである。
【図１０】図１０は本発明の実施例１に係る摺動部品における摺動面上の液相及び気相の挙動を示したものである。
【図１１】図１１は本発明の実施例１に係る摺動部品におけるシール性能試験結果を示す表である。
【図１２】図１２は本発明の実施例１に係る摺動部品における経過時間と摩擦係数の変化を示すグラフである。
【図１３】図１３は比較例１に係る摺動部品における経過時間と摩擦係数の変化を示すグラフである。
【図１４】図１４は比較例１に係る摺動部品におけるシール性能試験結果を示す表である。
【図１５】図１５は従来例に係る摺動部品の摺動面の一部を示す平面図である。
【図１６】図１６は比較例２に係る摺動部品におけるシール性能試験結果を示す表である。
【図１７】図１７は本発明の実施例２に係る摺動部品の平面図である。
【図１８】図１８は本発明の実施例２に係る摺動部品の一部拡大図である。
【図１９】図１９は本発明の実施例２に係る摺動部品における摺動面の様子を模式的に示す平面図である。
【図２０】図２０は本発明の実施例２に係る摺動部品における経過時間と摩擦係数の変化を示すグラフである。
【図２１】図２１は本発明の実施例２に係る摺動部品におけるシール性能試験結果を示す表である。
【図２２】図２２は実施例３に係る摺動部品の平面図である。
【図２３】図２３は実施例４に係る摺動部品の平面図である。
【図２４】図２４は一定速度で相対的に回転する２部品の摺動面間に形成される液相及び気相の挙動の一例を示したものである。
【符号の説明】
【００９９】
１０  メカニカルシール
１００  第１摺動部品
１０１  ディンプル
１０１ａ，１０１ｂ  ディンプル
１１０  第１摺動部品
１１１  ディンプル
１３０  第１摺動部品
１４０  第１摺動部品
１４１  ディンプル
２００  第２摺動部品
３００  回転軸
４００  ハウジング
Ｃ１，Ｃ２，Ｃ３，Ｃ４  仮想円周
Ｅ１１，Ｅ１２，Ｅ１３，Ｅ１４  液相
Ｅ２０  液相
Ｋ１１，Ｋ１２，Ｋ１３  気相
Ｋ２０  気相
Ｍ  液体
Ｕ  仮想的な渦巻き線
【図１】
2010133496.tif 000004
【図２】
2010133496.tif 000005
【図３】
2010133496.tif 000006
【図４】
2010133496.tif 000007
【図５】
2010133496.tif 000008
【図６】
2010133496.tif 000009
【図７】
2010133496.tif 000010
【図８】
2010133496.tif 000011
【図９】
2010133496.tif 000012
【図１０】
2010133496.tif 000013
【図１１】
2010133496.tif 000014
【図１２】
2010133496.tif 000015
【図１３】
2010133496.tif 000016
【図１４】
2010133496.tif 000017
【図１５】
2010133496.tif 000018
【図１６】
2010133496.tif 000019
【図１７】
2010133496.tif 000020
【図１８】
2010133496.tif 000021
【図１９】
2010133496.tif 000022
【図２０】
2010133496.tif 000023
【図２１】
2010133496.tif 000024
【図２２】
2010133496.tif 000025
【図２３】
2010133496.tif 000026
【図２４】
2010133496.tif 000027